(57)【要約】【課題】留め部に装飾性を持たす留めボタンを紙袋の口部に装着しこの口部を閉じるボタン留め工具を提供する。【解決手段】ボタン留め工具は、係止爪付ボタンシート充填機構部３を有する一方の把持ハンドル４００と、係止孔付ボタンシート充填機構部４を有する他方の把持ハンドル５００と、一方の押ボタン１３の押込みにより係止爪付ボタンシートＳ１の連結部７５を切断して独立した係止爪付ボタン７１を紙袋１００の口部１０１に押し付ける一方の押ボタン機構部Ｊ１を有する一方の挟み部材２００と、他方の押ボタン２３の押込みにより係止孔付ボタンシートＳ２の連結部７８を切断して独立した係止孔付ボタン７２を口部１０１に押し付ける他方の押ボタン機構部Ｊ２を有する他方の挟み部材３００とを備えたものである。【選択図】  図１５
2004217303.tif 000002
【特許請求の範囲】
【請求項１】
ボタン本体の裏面中央に係止爪部を突設して構成された係止爪付ボタンと、ボタン本体に前記係止爪部が係止される係止孔部を穿設して構成された係止孔付ボタンとを備え、
前記係止爪部を袋状物の口部に貫通させて、この係止爪部を前記係止孔部に貫通係止させ、前記口部を前記係止爪付ボタンと前記係止孔付ボタンとで挟んで、この口部を閉じるようにしたことを特徴とする留めボタン。
【請求項２】
前記係止爪付ボタンの前記ボタン本体の表面に装飾表示を行うようにした請求項１に記載の留めボタン。
【請求項３】
前記装飾表示がロゴマーク、キャラクターマーク等である請求項２に記載の留めボタン。
【請求項４】
前記係止爪部の先端部に切除用の溝部を設けたことを特徴とする請求項１乃至請求項３のいずれかの一に記載の留めボタン。
【請求項５】
複数個の係止爪付ボタンを、そのボタン本体の隣り合うものを互いに連結部で連ねた係止爪付ボタンシートを充填する係止爪付ボタンシート充填機構部を有する一方の把持ハンドルと、複数個の係止孔付ボタンを、そのボタン本体の隣り合うものを互いに連結部で連ねた係止孔付ボタンシートを充填する係止孔付ボタンシート充填機構部を有する他方の把持ハンドルと、一方の押ボタンの押込みにより係止爪付ボタンシートの連結部を切断して独立した係止爪付ボタンを袋状物の口部に押し付ける一方の押ボタン機構部を有する一方の挟み部材と、他方の押ボタンの押込みにより係止孔付ボタンシートの連結部を切断して独立した係止孔付ボタンを袋状物の口部に押し付ける他方の押ボタン機構部を有する他方の挟み部材とを備え、
前記一方及び他方の把持ハンドルは、それぞれの後端部のヒンジ部で互いにヒンジピンにより連結してあり、前記一方の挟み部材はその後端部のヒンジ部で前記一方の把持ハンドルの前記ヒンジ部に互いにヒンジピンにより連結してあり、前記他方の挟み部材はその後端部のヒンジ部で前記他方の把持ハンドルの前記ヒンジ部に互いにヒンジピンにより連結してあって、前記一方及び他方の挟み部材の前記ヒンジ部間に設けられたスペーサにトーションスプリングが捲回してあって、このトーションスプリングのばね作用により前記一方及び他方の挟み部材が所定の角度に開いていることを特徴とするボタン留め工具。
【請求項６】
前記一方の押ボタン機構部は、前記一方の挟み部材が有する一方の保持フレームの先端部に一方のガイドピースを設け、この一方のガイドピースに、内端部が一方の留めボタン押圧面部に成された一方の押片部材を押ボタン押込み方向に移動可能に設け、この一方の押片部材に前記一方の押ボタンを設けると共に、前記一方の押片部材に、前記係止爪付ボタンシートの前記連結部を切断する一方のカッター部材を設け、前記一方の押ボタンを一方のスプリングにより押ボタン押込み方向とは逆方向に付勢すると共に、前記一方の保持フレームの先端部に前記一方の留めボタン押圧面部に対向する係止爪付ボタンセット部を形成して構成してあり、
前記他方の押ボタン機構部は、前記他方の挟み部材が有する他方の保持フレームの先端部に他方のガイドピースを設け、この他方のガイドピースに、内端部が他方の留めボタン押圧面部に成された他方の押片部材を押ボタン押込み方向に移動可能に設け、この他方の押片部材に他方の押ボタンを設けると共に、前記他方の押片部材に前記係止孔付ボタンシートの前記連結部を切断する他方のカッター部材を設け、前記他方の押ボタンをスプリングにより押ボタン押込み方向とは逆方向に付勢すると共に、前記他方の保持フレームの先端部に前記他方の留めボタン押圧面部に対向する係止孔付ボタンセット部を形成し、前記他方の押片部材に係止爪付ボタンに係止された係止孔付ボタンを外部に押し出すノックアウト機構部を設けて構成するようにしたことを特徴とする請求項５に記載のボタン留め工具。
【請求項７】
前記係止爪付ボタンシート充填機構部は、複数個の係止爪付ボタンを、そのボタン本体の隣り合うものを互いに連結部で連ねた係止爪付ボタンシートを収容する係止爪付ボタンシート収容部と、この係止爪付ボタンシート収容部に留めボタン送り方向に移動可能に挿入された一方のボタンシート押しレバー部材と、この一方のボタンシート押しレバー部材を留めボタン送り方向に付勢する一方のレバースプリングと、前記一方のボタンシート押しレバー部材を前記一方のレバースプリングに抗した状態で保持するレバー部材保持部とで構成してあり、
前記係止孔付ボタンシート充填機構部は、複数個の係止孔付ボタンを、そのボタン本体の隣り合うものを互いに連結部で連ねた係止孔付ボタンシートを収容する係止孔付ボタンシート収容部と、この係止孔付ボタンシート収容部に留めボタン送り方向に移動可能に挿入された他方のボタンシート押しレバー部材と、この他方のボタンシート押しレバー部材を留めボタン送り方向に付勢する他方のレバースプリングと、前記他方のボタンシート押しレバー部材を前記他方のレバースプリングに抗した状態で保持する他方のレバー部材保持部とで構成してあることを特徴とする請求項５又は請求項６に記載のボタン留め工具。
【発明の詳細な説明】
【０００１】
【発明の属する技術分野】
本発明は、品物を収容した紙袋、合成樹脂製の袋体等の袋状物の口部を閉じる留めボタンと、この留めボタンを袋状物の口部に留めるボタン留め工具に関するものである。
【０００２】
【従来の技術】
一般に、販売店で品物を購入した場合に、紙袋に品物を収容し、この紙袋の口部を留め工具（商品名ホッチキス）を用いて針金の留め部材を口部に刺し込み、この口部を閉じるようにしていた。
【０００３】
【発明が解決しようとする課題】
しかしながら、上記したように、留め工具（商品名ホッチキス）を用いて針金の留め部材を口部に刺し込み、この口部を閉じるようにしてあるために、袋状物に装飾表示がない場合、袋状物の口部を閉じた状態では、どこの販売店で購入した品物であるのか判別がつかない、また、袋状物に装飾表示がある場合でも、留め部に装飾性がないために見栄えがしないという問題点があった。
【０００４】
本発明は、上記の問題点に着目して成されたものであって、その第１の目的とするところは、留め部に装飾性を持たすことが可能になる留めボタンを提供することにある。
【０００５】
また、本発明の第２の目的とするところは、留め部に装飾性を持たすことが可能になる留めボタンを確実に且つ能率よく袋状物の口部に装着しこの口部を閉じることを可能にするボタン留め工具を提供することにある。
【０００６】
【課題を解決するための手段】
上記の第１の目的を達成するために、本発明に係る留めボタンは、ボタン本体の裏面中央に係止爪部を突設して構成された係止爪付ボタンと、ボタン本体に係止爪部が係止される係止孔部を穿設して構成された係止孔付ボタンとを備え、係止爪部を袋状物の口部に貫通させると共に、この係止爪部を係止孔部に貫通係止させて口部を係止爪付ボタンと係止孔付ボタンとで挟み、この口部を閉じるようにしたものである。
【０００７】
かかる構成により、係止爪部を袋状物の口部に貫通させ、この係止爪部を係止孔部に貫通係止させて口部を係止爪付ボタンと係止孔付ボタンとで挟み、この口部を閉じることができて、袋状物の口部を閉じた状態では、従来の針金で閉じるものより体裁がよいものになり、係止爪付ボタンと係止孔付ボタンとで構成される留め部に装飾性を持たすことが可能になる。
【０００８】
また、本発明に係る留めボタンは、上記した本発明に係る留めボタンにおいて、係止爪付ボタンのボタン本体の表面に装飾表示を行うようにしたものである。
【０００９】
かかる構成により、口部を係止爪付ボタンと係止孔付ボタンとで挟み、袋状物の口部を閉じた状態では、係止爪付ボタンの表面に装飾表示が存在することになり、より体裁がよいものになる。
【００１０】
また、本発明に係る留めボタンは、上記した本発明に係る留めボタンにおいて、装飾表示がロゴマーク、キャラクターマーク等である。
【００１１】
かかる構成により、口部を係止爪付ボタンと係止孔付バタンとで挟み、袋状物の口部を閉じた状態では、係止爪付ボタンの表面にロゴマーク、キャラクターマーク等が存在することになり、より体裁がよいものになるばかりか、袋状物内の品物が何処の販売店のものであるかが判明できるようになるし、また、販売店の宣伝にも一役買うようになる。
【００１２】
また、本発明に係る留めボタンは、上記した本発明に係る留めボタンにおいて、係止爪部の先端部に切除用の溝部を設けたものである。
【００１３】
かかる構成により、口部を係止爪付ボタンと係止孔付ボタンとで挟み、袋状物の口部を閉じた状態で切除用の溝部を折って係止爪部の先端部を切除することができて、係止爪部の先端部が手に刺さるようなことがなく、安全性の高いものになる。
【００１４】
また、上記の第２の目的を達成するために、本発明に係るボタン留め工具は、複数個の係止爪付ボタンを、そのボタン本体の隣り合うものを互いに連結部で連ねた係止爪付ボタンシートを充填する係止爪付ボタンシート充填機構部を有する一方の把持ハンドルと、複数個の係止孔付ボタンを、そのボタン本体の隣り合うものを互いに連結部で連ねた係止孔付ボタンシートを充填する係止孔付ボタンシート充填機構部を有する他方の把持ハンドルと、一方の押ボタンの押込みにより係止爪付ボタンシートの連結部を切断して独立した係止爪付ボタンを袋状物の口部に押し付ける一方の押ボタン機構部を有する一方の挟み部材と、他方の押ボタンの押込みにより係止孔付ボタンシートの連結部を切断して独立した係止孔付ボタンを袋状物の口部に押し付ける他方の押ボタン機構部を有する他方の挟み部材とを備え、一方及び他方の把持ハンドルは、それぞれの後端部のヒンジ部で互いにヒンジピンにより連結してあり、一方の挟み部材はその後端部のヒンジ部で一方の把持ハンドルのヒンジ部に互いにヒンジピンにより連結してあり、他方の挟み部材はその後端部のヒンジ部で他方の把持ハンドルのヒンジ部に互いにヒンジピンにより連結してあって、一方及び他方の挟み部材のヒンジ部間に設けられたスペーサにトーションスプリングが捲回してあって、このトーションスプリングのばね作用により一方及び他方の挟み部材を所定の角度に開いているものである。
【００１５】
かかる構成により、一方の把持ハンドルの係止爪付ボタンシート充填機構部に係止爪付ボタンシートを挿入充填し、他方の把持ハンドルの係止孔付ボタンシート充填機構部に係止孔付ボタンシートを挿入充填し、次に、品物を入れた袋状物の口部を、開いている一方の挟み部材と他方の挟み部材とをトーションスプリングのばね作用に抗して閉じて一方及び他方の挟み部材で挟み、一方及び他方の押ボタン機構部を操作させて一方及び他方の押ボタンの押込みにより、一方の押片部材に設けた一方のカッター部材が、一方の挟み部材の係止爪付ボタンセット部にセットされた係止爪付ボタンシートにおける先端の連結部を切断し、また、さらなる押ボタンの押込みにより、他方の押片部材に設けた他方のカッター部材が、他方の挟み部材の係止孔付ボタンセット部にセットされた係止孔付ボタンシートにおける先端の連結部を切断する。
【００１６】
それぞれの連結部の切断後に、係止爪付ボタンの係止爪が袋状物の口部を貫通して、この係止爪が係止孔付ボタンの係止孔に挿入係止され、ノックアウト機構部が係止爪付ボタンに係止された係止孔付ボタンを外部に押し出し、係止爪付ボタンと係止孔付ボタンとにより袋状物の口部を閉ざすことができる。
【００１７】
このように、留め部に装飾性を持たすことが可能になる留めボタンを確実に且つ能率よく袋状物の口部に装着しこの口部を閉じることを可能にするボタン留め工具を提供することができる。
【００１８】
また、本発明に係るボタン留め工具は、上記した本発明に係るボタン留め工具において、一方の押ボタン機構部は、一方の挟み部材が有する一方の保持フレームの先端部に一方のガイドピースを設け、この一方のガイドピースに、内端部が一方の留めボタン押圧面部に成された一方の押片部材を押ボタン押込み方向に移動可能に設け、この一方の押片部材に一方の押ボタンを設けると共に、一方の押片部材に、係止爪付ボタンシートの連結部を切断する一方のカッター部材を設け、一方の押ボタンを一方のスプリングにより押ボタン押込み方向とは逆方向に付勢すると共に、一方の保持フレームの先端部に一方の留めボタン押圧面部に対向する係止爪付ボタンセット部を形成して構成してあり、他方の押ボタン機構部は、他方の挟み部材が有する他方の保持フレームの先端部に他方のガイドピースを設け、この他方のガイドピースに、内端部が他方の留めボタン押圧面部に成された他方の押片部材を押ボタン押込み方向に移動可能に設け、この他方の押片部材に他方の押ボタンを設けると共に、他方の押片部材に係止孔付ボタンシートの連結部を切断する他方のカッター部材を設け、他方の押ボタンをスプリングにより押ボタン押込み方向とは逆方向に付勢すると共に、他方の保持フレームの先端部に他方の留めボタン押圧面部に対向する係止孔付ボタンセット部を形成し、他方の押片部材に係止爪付ボタンに係止された係止孔付ボタンを外部に押し出すノックアウト機構部を設けて構成するようにしたものである。
【００１９】
かかる構成により、品物を入れた袋状物の口部を、一方及び他方の挟み部材で挟み、一方及び他方の把持ハンドルを片手の中指、薬指及び小指で握って支え、親指を一方の押ボタンに、人差し指を他方の押ボタンにそれぞれ当てて押し込むと、一方の押ボタンに連結された押片部材がスプリングに抗して移動して押片部材の留めボタン押圧面部を、係止爪付ボタンシートにおける先端の係止爪付ボタンの表面に当接させ、他方の押ボタンの押込みにより、この押ボタンに連結された押片部材がスプリングに抗して移動して押片部材の留めボタン押圧面部を係止孔付ボタンの表面に当接させる。
【００２０】
さらなる一方及び他方の押ボタンの押込みにより、一方の押片部材に設けた一方のカッター部材が、一方の挟み部材の係止爪付ボタンセット部にセットされた複数連の係止爪付ボタンにおける先端の連結部を切断し、また、さらなる押ボタンの押込みにより、他方の押片部材に設けた他方のカッター部材が、他方の挟み部材の係止孔付ボタンセット部にセットされた係止孔付ボタンシートにおける先端の連結部を切断する。
【００２１】
それぞれの連結部の切断後に、係止爪付ボタンの係止爪が袋状物の口部を貫通して、この係止爪が係止孔付ボタンの係止孔に挿入係止され、ノックアウト機構部が係止爪付ボタンに係止された係止孔付ボタンを外部に押し出し、係止爪付ボタンと係止孔付ボタンとにより袋状物の口部を閉ざすことができる。
【００２２】
また、本発明に係るボタン留め工具は、上記した本発明に係るボタン留め工具において、係止爪付ボタンシート充填機構部は、係止爪付ボタンシートを、そのボタン本体の隣り合うものを互いに連結部で連ねた係止爪付ボタンシートを収容する係止爪付ボタンシート収容部と、この係止爪付ボタンシート収容部に留めボタン送り方向Ｆに移動可能に挿入された一方のボタンシート押しレバー部材と、この一方のボタンシート押しレバー部材を留めボタン送り方向に付勢する一方のレバースプリングと、一方のボタンシート押しレバー部材を一方のレバースプリングに抗した状態で保持するレバー部材保持部とで構成してあり、係止孔付ボタンシート充填機構部は、複数個の係止孔付ボタンを、そのボタン本体の隣り合うものを互いに連結部で連ねた係止孔付ボタンシートを収容する係止孔付ボタンシート収容部と、この係止孔付ボタンシート収容部に留めボタン送り方向に移動可能に挿入された他方のボタンシート押しレバー部材と、この他方のボタンシート押しレバー部材を留めボタン送り方向に付勢する他方のレバースプリングと、前記他方のボタンシート押しレバー部材を他方のレバースプリングに抗した状態で保持する他方のレバー部材保持部とで構成してある。
【００２３】
かかる構成により、係止爪付ボタンシート充填機構部に係止爪付ボタンシートを挿入充填する場合には、一方及び他方の挟み部材に対して一方の把持ハンドルを、その支点（ヒンジピン）を中心に外方に回動させる。
【００２４】
この状態で、手指で一方のボタンシート押しレバー部材を一方のレバースプリングに抗して移動させて、この一方のボタンシート押しレバー部材を一方のレバー部材保持部で保持し、次に、係止爪付ボタンシートを一方の把持ハンドルの先端側から係止爪付ボタン収容部に挿入し、一方の把持ハンドルを、その支点（ヒンジピン）を中心に外方向に回動させて、この一方の把持ハンドルを一方の挟み部材に重ね合わす。
【００２５】
次に、手指で一方のボタンシート押しレバー部材の一方のレバー部材保持部による保持を解除すると、一方のボタンシート押しレバー部材は一方のレバースプリングのばね力により先方に押し出され、一方のボタンシート押しレバー部材が係止爪付ボタンシートを押し、この係止爪付ボタンシートの先端に位置する係止爪付ボタンが係止爪付ボタンセット部にセットされる。このセット状態では、係止爪付ボタンシートにおける先端の連結部が一方のカッター部材の刃先直下に位置するようになる。
【００２６】
また、係止孔付ボタンシート充填機構部に係止孔付ボタンシートを挿入充填する場合には、一方及び他方の挟み部材に対して他方の把持ハンドルを、その支点（ヒンジピン）を中心に外方に回動させる。
【００２７】
この状態で、手指で他方のボタンシート押しレバー部材を他方のレバースプリングに抗して移動させて、この他方のボタンシート押しレバー部材を他方のレバー部材保持部で保持し、次に、係止孔付ボタンシートを他方の把持ハンドルの先端側から係止孔付ボタン収容部に挿入し、他方の把持ハンドルを、その支点（ヒンジピン）を中心に外方向に回動させて、この他方の把持ハンドルを他方の挟み部材に重ね合わす。
【００２８】
次に、手指で他方のボタンシート押しレバー部材の他方のレバー部材保持部による保持を解除すると、他方のボタンシート押しレバー部材は他方のレバースプリングのばね力により先方に押し出され、他方のボタンシート押しレバー部材が係止孔付ボタンシートを押し、この係止孔付ボタンシートの先端に位置する係止孔付ボタンが係止孔付ボタンセット部にセットされる。このセット状態では、係止孔付ボタンシートにおける先端の連結部が他方のカッター部材の刃先直下に位置するようになる。
【００２９】
このように、係止爪付ボタンシート充填機構部に係止爪付ボタンシートを容易に挿入充填することが可能になるし、係止孔付ボタンシート充填機構部に係止孔付ボタンシートを挿入充填する可能になるになって、係止爪付ボタンと係止孔付ボタンとにより袋状物の口部を閉ざすことに寄与することができる。
【００３０】
【発明の実施の形態】
以下、本発明を図面を参照して説明する。
【００３１】
本発明に係る留めボタン７０を図１乃至図１２に示す。この留めボタン７０は係止爪付ボタン７１と係止孔付ボタン７２とで構成してある。
【００３２】
係止爪付ボタン７１は、図３に示すように、円板状のボタン本体７３の裏面中央に係止爪部７４を突設して構成してある。この係止爪部７４は板状の矢形状であって返し部７４ａが設けてある。そして、複数個（例えば６個）の係止爪付ボタン７１は、そのボタン本体７３の隣り合うものを互いに連結部７５で連ねて、係止爪付ボタンシートＳ１の状態にしてある。
【００３３】
係止孔付ボタン７２は、図６及び図７に示すように、円板状のボタン本体７６の中央に係止孔部７７を穿設して構成してある。そして、複数個（例えば６個）の係止孔付ボタン７２は、そのボタン本体７６の隣り合うものを互いに連結部７８で連ねた係止孔付ボタンシートＳ２の状態でしてある。
【００３４】
そして、係止爪付ボタン７１の係止爪部７４を袋状物である紙袋１００の口部１０１に貫通させて、この係止爪部７４を係止孔付ボタン７２の係止孔部７７に挿入係止して、係止爪付ボタン７１と係止孔付ボタン７２とにより紙袋１００の口部１０１を閉ざすようにする。
【００３５】
したがって、紙袋１００の口部１０１を閉じた状態では、従来の針金で閉じるものより体裁がよいものになり、係止爪付ボタン７１と係止孔付ボタン７２とで構成される留め部に装飾性を持たすことが可能になる。
【００３６】
また、図９に示すように係止爪付ボタン７１のボタン本体７３の表面に装飾表示７９を印刷等により形成することは可能である。この装飾表示７９はロゴマーク、キャラクターマーク等で構成してもよい。
【００３７】
したがって、紙袋１００の口部１０１を閉じた状態では、従来の針金で閉じるものより体裁がよいものになり、係止爪付ボタン７１と係止孔付ボタン７２とで構成される留め部にロゴマーク、キャラクターマーク等があって、紙袋１００内の品物が何処の販売店の物であるかが判明できるようになるし、また、販売店の宣伝にも一役買うようになる。
【００３８】
また、図１０及び図１１に示すように、係止爪付ボタン７１の係止爪部７４の先部に切除用の溝部８０が形成してもよい。したがって、係止爪付ボタン７１と係止孔付ボタン７２とにより紙袋１００の口部１０１を閉じた状態で溝部８０で折って係止爪部７４の先端部を切除することにより、係止爪部７４の先端部が手に刺さるようなことがなく、安全性の高いものになる。
【００３９】
また、図１２に示すように、係止爪部７４を二股形状にしてもよい。
【００４０】
また、図８に示すように、係止孔付ボタン７２の係止孔部７７を丸孔７７ａと、この丸孔７７ａの左、右部に切込み部７７ｂを形成して構成してもよい。
【００４１】
したがって、係止爪付ボタン７１の係止爪部７４を袋状物である紙袋１００の口部１０１に貫通させて、この係止爪部７４を係止孔付ボタン７２の係止孔部７７に挿入係止し、この係止孔付ボタン７２を約９０度回転させることで係止爪部７４が係止孔部７７から抜けないようにして、係止爪付ボタン７１と係止孔付ボタン７２とにより紙袋１００の口部１０１を閉ざすようにする。
【００４２】
次に、上記した留めボタン７０を紙袋１００の口部１０１に留めるために使用する本発明に係るボタン留め工具を図１３乃至図３３に示す。
【００４３】
このボタン留め工具は、図１３乃至図１５、図１８に示すように、一方の挟み部材である上側挟み部材２００と、他方の挟み部材である下側挟み部材３００と、係止爪付ボタンシート充填機構部３を有する一方の把持ハンドルである上側把持ハンドル４００と、係止孔付ボタンシート充填機構部４を有する他方の把持ハンドルである下側把持ハンドル５００とから構成してある。
【００４４】
上側挟み部材２００は保持フレーム５を有しており、この保持フレーム５の基端部はヒンジ部６に成されていて、このヒンジ部６には中央ヒンジ孔部７と上、下側ヒンジ孔部８、９とが形成してある。
【００４５】
また、保持フレーム５の先端部には一方の押ボタン機構部Ｊ１が設けてある。
この一方の押ボタン機構部Ｊ１は、図１９及び図２０に示すように、保持フレーム５の先端部に設けられたガイドピース１０を有しており、このガイドピース１０にはガイド孔部１０ａ及びストッパー部１０ｂが設けてある。
【００４６】
そして、ガイドピース１０は、ガイド孔部１０ａに移動可能に挿入した状態で押片部材１１を保持している。この押片部材１１は、その内端部が係止爪付ボタン押圧面部１１Ａにしてあり、この係止ボタン爪付押圧面部１１Ａの周部にストッパー部１２が形成してある。そして、このストッパー部１２の後部には、一方のカッター部材である上刃１３−１が、その刃先を下に向けて取り付けてある。
【００４７】
また、保持フレーム５の下面部の先端には弾性を有する板状のパッド２が接着してある。
【００４８】
また、押片部材１１の係止爪付ボタン押圧面部１１Ａとは反対側の外端部には押ボタン１３が取付けてある。そして、押ボタン１３はスプリング１４により上方向に持ち上げられていて、押片部材１１は上方向に移動した状態で、ストッパー部１２がガイドピース１０のストッパー部１０ｂに衝合している。
【００４９】
下側挟み部材３００は保持フレーム１５を有しており、この保持フレーム１５の基端部はヒンジ部１６に成されていて、このヒンジ部１６には中央ヒンジ孔部１７と上、下側ヒンジ孔部１８、１９が形成してある。
【００５０】
また、保持フレーム１５の先端部には他方の押ボタン機構部Ｊ２が設けてある。この他方の押ボタン機構部Ｊ２は、図１９及び図２０に示すように、保持フレーム５の先端部に設けられたガイドピース２０を有しており、このガイドピース２０にはガイド孔部２０ａが設けてある。
【００５１】
そして、ガイドピース２０は、ガイド孔部２０ａに移動可能に挿入した状態で押片部材２１を保持している。この押片部材２１は、その内端部が係止孔付ボタン押圧面部２１Ａにしてあり、この係止孔付ボタン押圧面部２１Ａの周部にストッパー部２２が形成してある。そして、このストッパー部２２の後部には、他方のカッター部材である下刃２３−１が、その刃先を上に向けて取り付けてある。
【００５２】
また、係止孔付ボタン押圧面部２１Ａには係止爪付ボタン７１の係止爪部７３が挿入される（逃げる）逃げ用凹部２４が形成してあり、この逃げ用凹部２４の底部にノックアウト用孔部２５が開口している。
【００５３】
押片部材２１の係止孔付ボタン押圧面部２１Ａとは反対側の端部には他方の押ボタン２３が設けてある。そして、この押ボタン２３はスプリング２４Ａにより下方向に押し下げられていて、押片部材２１は下方向に移動した状態で、ストッパー部２２が保持フレーム１５に設けたストッパー部２０ｂに衝合している。
【００５４】
押片部材２１にはノックアウト機構２６が設けてある。このノックアウト機構２６は、ノックアウトピン２７とノックアウトスプリング２８とで構成してある。そして、ノックアウトピン２７はノックアウト用孔部２５に挿入してあって、ノックアウトピン２７はノックアウトスプリング２８により係止プレート押圧面部２１Ａ側に押し上げられていて、ノックアウトピン２７に設けたストッパー部２７ａがノックアウト用孔部２５のストッパー部２５ａに衝合し、ノックアウトピン２７の先部は逃げ用凹部２４内に突入している。
【００５５】
そして、上、下側挟み部材２００、３００は、それぞれのヒンジ部６、１６の中央のヒンジ孔部７、１７に挿通したヒンジピン２９により連結してあって、上、下側挟み部材２００、３００はヒンジピン２９を支点として上下方向に開閉できるようにしてある。すなわち、ヒンジ部６、１６間にはスペーサ２４Ａが介装してあり、このスペーサ２４Ａの中心にヒンジピン２９が位置している。
【００５６】
上側把持ハンドル４００は、樹脂製のフレーム３０と、このフレーム３０に固着された係止爪付ボタンシート充填機構部３とを備えており、このフレーム３０の基端部はヒンジ部３１に成されていて、このヒンジ部３１にはヒンジ孔部３２が形成してある。
【００５７】
また、図１６に示すように、フレーム３０の先端部には閉塞面部３０ａが形成してあり、この閉塞面部３０ａには係止爪付ボタンシート出入口３０Ａが形成してある。また、保持フレーム３０の外面部（上面部）には指先が入る長溝部３５が形成してあり、この長溝部３５にはスリットのガイド孔部３６が形成してある。
【００５８】
係止爪付ボタンシート充填機構部３は、図２２に示すようにガイドプレート３７とガイドプレート３８とで構成された箱状の係止爪付ボタンシート収容部３９と、この係止爪付ボタンシート収容部３９に留めボタン送り方向Ｎに移動可能に挿入された一方のボタンシート押しレバー部材としてのレバー部材４７と、このレバー部材４７を付勢するレバースプリング４９と、一方のレバー部材保持部４２とで構成してある。
【００５９】
すなわち、ガイドプレート３７は、図２５及び図２６に示すように、その中央部に留めボタン送り方向Ｎに平行する長孔部３９を有しており、この長孔部３９の基部にはレバー部材保持部４２が形成してある。このレバー部材保持部４２は、ストッパー部４０と傾斜辺部４１とを有する孔部で形成してある。また、ガイドプレート３７の両側縁部には、それぞれ一対のリブ４３を立ち上げてあり、一方のガイドプレート３７の先側縁部にはスプリング係止部４４が設けてある。
【００６０】
また、ガイドプレート３８は、図２７に示すように、その先側縁部の中央部から基部側にかけて形成された切割で構成される爪挿入部４５を有している。
【００６１】
そして、図２２に示すように、ガイドプレート３８の前後の４か所にスペーサ４６を固着して、ガイドプレート３７を被せてスペーサ４６で固着することでガイドプレート３７に所定の隙間を存してガイドプレート３８を固定して係止爪付ボタンシート収容部３９が構成してあり、この係止爪付ボタンシート収容部３９の先端部は開口している。
【００６２】
レバー部材４７は、図２８及び図２９に示すようにプレート状の部材本体４７Ａを有しており、この部材本体４７Ａの基部には立上り片からなるレバー４８が設けてあって、このレバー４８にはスプリング係止部４８ａが設けてあり、部材本体４７Ａの先部にはボタンシート押し部４７Ｂが形成してある。
【００６３】
そして、このように構成されたレバー部材４７は係止爪付ボタンシート収容部３９に収容してあって、レバー部材４７のレバー４８がガイドプレート３７の長孔部３９を貫通し、更に、フレーム３０のガイド孔部３６を貫通して外方に突出している。
【００６４】
このように構成された係止爪付ボタンシート収容部３９は、図２２、図２３に示すように、フレーム３０の両側壁部に設けられたガイドプレート受部３０ｃに受けられていて、ガイドプレート３７に設けたリブ４３をガイドプレート受部３０ｃのリブ係止部３０Ｄに挿入係止するようにしてフレーム３０に固着してある。
【００６５】
この場合、フレーム３０の先端の閉塞面部３０ａの係止爪付ボタンシート出入口３０Ａに係止爪付ボタンシート収容部３９の先端の開口部が位置している。そして、ガイドプレート３７のスプリング係止部４４とレバー部材４７のレバー４８のスプリング係止部４８ａとの間にレバースプリング４９が掛けてある。
【００６６】
下側把持ハンドル５００は、樹脂製のフレーム５０と、このフレーム５０に固着された係止孔付ボタンシート充填機構部４とを備えており、このフレーム５０の基端部はヒンジ部５１に成されていて、このヒンジ部５１にはヒンジ孔部５２が形成してある。
【００６７】
また、図１７に示すように、フレーム５０の先端部には閉塞面部５０ａが形成してあり、この閉塞面部５０ａには係止孔付ボタンシート出入口５０Ａが形成してある。また、保持フレーム５０の外面部（上面部）には指先が入る長溝部５５が形成してあり、この長溝部５５にはスリットのガイド孔部５６が形成してある。
【００６８】
係止孔付ボタンシート充填機構部４は、図２２及び図２３に示すようにガイドプレート５７とガイドプレート５８とで構成された箱状の係止孔付ボタンシート収容部５９と、この係止孔付ボタンシート収容部５９に留めボタン送り方向Ｎに移動可能に挿入されたレバー部材６７と、このレバー部材６７を付勢するレバースプリング６９と、レバー部材保持部６２とで構成してある。
【００６９】
すなわち、ガイドプレート５７は、図３０に示すように、その中央部に留めボタン送り方向Ｎに平行する長孔部５９を有しており、この長孔部５９の基部にはレバー部材保持部６２が形成してあり、このレバー部材保持部６２は、ストッパー部６０と傾斜辺部６１とを有する孔部で形成してある。また、ガイドプレート５７の両側縁部には、それぞれ一対のリブ６３を立ち上げてあり、ガイドプレート５７の先側縁部にはスプリング係止部６４が設けてある。
【００７０】
そして、ガイドプレート５８の前後の４か所にスペーサ６６を固着して、ガイドプレート５７を被せてスペーサ６６で固着することでガイドプレート５７に所定の隙間を存してガイドプレート５８を固定して係止孔付ボタンシート収容部５９が構成してあり、この係止孔付ボタンシート収容部５９の先端部は開口している。
【００７１】
レバー部材６７は、図２８及び図２９に示すようにプレート状の部材本体６６Ａを有しており、この部材本体６７Ａの基部には立上り片からなるレバー６８が設けてあって、このレバー６８にはスプリング係止部６８ａが設けてあり、部材本体６７Ａの先部にはボタンシート押し部６７Ｂが形成してある。
【００７２】
そして、このように構成されたレバー部材６７は係止孔付ボタンシート収容部５９に収容してあって、レバー部材６７のレバー６８がガイドプレート５７の長孔部５９を貫通し、更に、フレーム５０のガイド孔部５６を貫通して外方に突出している。
【００７３】
このように構成された係止孔付ボタンシート収容部５９は、図２２及び図２３に示すように、フレーム５０の両側壁部に設けられたガイドプレート受部５０ｃに受けられていて、ガイドプレート５７に設けたリブ６３をガイドプレート受部５０ｃのリブ係止部５０Ｄに挿入係止するようにしてフレーム５０に固着してある。
【００７４】
この場合、フレーム５０の先側端面部５０ａには係止ボタンシート出入口５０Ａに係止孔付ボタンシート収容部５９の先端の開口部が位置している。そして、ガイドプレート５７のスプリング係止部６４とレバー部材６７のスプリング係止部６８ａとの間にレバースプリング６９が掛けてある。
【００７５】
そして、上側把持ハンドル４００は、そのフレーム３０のヒンジ部３１のヒンジ孔部３２と上側挟み部材２００のヒンジ部６の上側ヒンジ孔部８とに挿通された上側ヒンジピン８０を支点にして開閉できるようにしてあり、また、下側把持ハンドル５００は、そのフレーム５０のヒンジ部５１のヒンジ孔部５２と下側挟み部材３００のヒンジ部１６の下側ヒンジ孔部１９とに挿通された下側ヒンジピン８１を支点にして開閉できるようにしてある。
【００７６】
そして、上、下側挟み部材２００、３００のヒンジ部６、１６間に設けられたスペーサ２４Ａにはトーションスプリング８２が捲回してあり、このトーションスプリング８２の一方の端部８２ａは上側ヒンジピン８０に掛けてあり、他方の端部８２ｂは下側ヒンジピン８１に掛けてある。したがって、このトーションスプリング８２のばね作用により上、下側挟み部材２００、３００は図１３に示すように約６度の角度に開いている。
【００７７】
次に、上記のように構成されたボタン留め工具による袋状物の口閉じ操作を説明する。
【００７８】
上側把持ハンドル４００の係止爪付ボタンシート充填機構部３に、上記した６連の係止爪付ボタン７１を一組とした係止爪付ボタンシートＳ１を挿入充填し、下側把持ハンドル５００の係止孔付ボタンシート充填機構部４に上記した６連の係止孔付ボタン７２を一組とした係止孔付ボタンシートＳ２を挿入充填する。
【００７９】
まず、係止爪付ボタンシート充填機構部３に係止爪付ボタンシートＳ１を挿入充填する場合には、図１５に示すように、上、下側挟み部材２００、３００に対して上側把持ハンドル４００を、その支点（ヒンジピン８０）を中心に上方向に回動させることで、上側把持ハンドル２００の先端部に設けた係止爪付ボタンシート出入口３０Ａを開口状態にする。
【００８０】
この状態で、手指でレバー部材４７のレバー４８をレバースプリング４９に抗して後方に移動させて、このレバー４８を、ガイドプレート３７の長孔部３９の基部に設けた傾斜辺部４１に当接させると、レバー４８は傾斜辺部４１に案内されてストッパー部４０に引っ掛かり、レバー部材４７は係止爪付ボタンシート収容部３９の基部側に位置させることができる。
【００８１】
次に、係止爪付ボタンシートＳ１を上側把持ハンドル４００の係止爪付ボタンシート出入口３０Ａから係止爪付ボタンシート収容部３９に挿入し、上側把持ハンドル４００を、その支点（ヒンジピン８０）を中心に下方向に回動させて、この上側把持ハンドル２００を上側挟み部材２００に重ね合わす。この状態では、係止爪付ボタンシート出入口３０Ａが上側挟み部材２００の押片部材１１の係止ボタン押圧面部１１Ａ下の係止爪付ボタンセット部イに通じるようになる（図３３参照）。
【００８２】
次に、手指でレバー部材４７のレバー４８をストッパー部４０から外すと、レバー部材４７はレバースプリング４９のばね力により先方に押し出される。このために、レバー部材４７の部材本体４７Ａの先端部のボタン押し部４７Ｂが係止爪付ボタンシートＳ１を押し、この係止爪付ボタンシートＳ１の先端に位置する係止爪付ボタン７１が上側挟み部材４００の係止爪付ボタンセット部イにセットされる。このセット状態では、係止爪付ボタンシートＳ１における先端の連結部７５が上刃１３−１の刃先直下に位置するようになる（図２０参照）。
【００８３】
また、下側把持ハンドル５００の係止爪付ボタンシート充填機構部４に係止孔付ボタンシートＳ２を挿入充填する場合には、図１５に示すように、上、下側挟み部材２００、３００に対して下側把持ハンドル５００を、その支点（ヒンジピン８１）を中心に下方向に回動させることで、下側把持ハンドル５００の先端部に設けた係止孔付ボタンシート出入口５０Ａを開口状態にする。
【００８４】
この状態で、手指でレバー部材６７のレバー６８をレバースプリング６９に抗して後方に移動させて、このレバー６８を、ガイドプレート５７の長孔部５９の基部に設けた傾斜辺部６１に当接させると、レバー６８は傾斜辺部６１に案内されてストッパー部６０に引っ掛かり、レバー部材６７は係止ボタン収容部５９Ａの基部側に位置させることができる。
【００８５】
次に、係止孔付ボタンシートＳ２を下側把持ハンドル５００の係止孔付ボタンシート出入口５０Ａから係止孔付ボタンシート収容部５９に挿入し、下側把持ハンドル５００を、その支点（ヒンジピン８１）を中心に下方向に回動させて、この下側把持ハンドル５００を下側挟み部材３００に重ね合わす。この状態では、係止孔付ボタンシート出入口５０Ａが下側挟み部材３００の押片部材２１の係止孔付ボタン押圧面部２１Ａ上の係止孔付ボタンセット部口に通じるようになる。
【００８６】
次に、手指でレバー部材６７のレバー６８をストッパー部６０から外すと、レバー部材６７はレバースプリング６９のばね力により先方に押し出される。このために、レバー部材６７の部材本体６７Ａの先端部のボタンシート押し部６７Ｂが係止孔付ボタンシートＳ２を押し、この係止孔付ボタンシートＳ２の先端に位置する係止孔付ボタン７２が下側挟み部材３００の係止孔付ボタンセット部口にセットされる。このセット状態では、係止孔付ボタンシートＳ２における先端の連結部７８が下刃１３の刃先上に位置するようになる。
【００８７】
次に、図３３の矢印Ｋに示すように、品物を入れた紙袋１００の口部１０１を、ボタン留め工具の上側物挟み部材２００と下側挟み部材３００との間に挿入して挟み、上側把持ハンドル４００と下側把持ハンドル５００とを片手の中指、薬指及び小指で握って支え、親指を押ボタン１３に、人差し指を押ボタン２３にそれぞれ当てて押し込む。
【００８８】
押ボタン１３の押込みにより、この押ボタン１３に連結された押片部材１１がスプリング１４に抗して移動させて押片部材１１の係止爪付ボタン押圧面部１１Ａを、係止爪付ボタンシートＳ１における先端の係止爪付ボタン７１の表面に当接させ、押ボタン２３の押込みにより、この押ボタン２３に連結された押片部材２１をスプリング２４Ａに抗して移動させて押片部材２１の係止爪付ボタン押圧面部２１Ａを係止孔付ボタン７２の表面に当接させる。
【００８９】
さらなる押ボタン１３の押込みにより、押片部材１１に設けた上刃１３−１が、上側挟み部材４００の係止爪付ボタンセット部イにセットされる係止爪付ボタンシートＳ１における先端の連結部７５を切断し、また、さらなる押ボタン２３の押込みにより、押片部材２１に設けた下刃２３−１が、下側挟み部材５００の係止孔付ボタンセット部ロにセットされる係止爪付ボタンシートＳ２における先端の連結部７８を切断する。
【００９０】
それぞれの連結部７５、７８の切断後に、係止爪付ボタン７１の係止爪部７４が紙袋１００の口部１０１を貫通して、この係止爪部７４が係止孔付ボタン７２の係止孔部７７に挿入係止されて、係止爪付ボタン７１と係止孔付ボタン７２とにより紙袋１００の口部１０１が閉ざされる。この場合、係止爪付ボタン７１の係止爪部７４がノックアウトピン２７をノックアウトスプリング２８に抗して移動させる。
【００９１】
そして、上側把持ハンドル４００と下側把持ハンドル５００との押えを解除すると、トーションスプリング８２のばね力により上側把持ハンドル４００共々上側挟み部材２００が上方に、下側把持ハンドル５００共々下側挟み部材３００が下方に約６°開くと共に、ノックアウトピン２７がノックアウトスプリング２８のばね力で押し上げられて係止孔付ボタン７２を外方に押し出すように作用する。
【００９２】
次に、紙袋１００の口部１０１に対して綴じ位置を変えて、上記した綴じ操作と同じ綴じ操作を行うことで、紙袋１００の口部１０１の２か所に対して係止爪付ボタン７１と係止孔付ボタン７２とによる綴じ込みを行う。
【００９３】
上記した本発明の実施の態様によれば、係止爪付ボタン７１と係止孔付ボタン７２とが成す留め部に装飾性を持たすことが可能になる留めボタンを確実に且つ能率よく紙袋１００の口部１０１に装着し、この口部１０１を閉じることを可能にするボタン留め工具を提供することができる。
【００９４】
【発明の効果】
以上説明したように、本発明に係る留めボタンによれば、係止爪部を袋状物の口部に貫通させ、この係止爪部を係止孔部に貫通係止させて口部を係止爪付ボタンと係止孔付ボタンとで挟み、この口部を閉じることができて、袋状物の口部を閉じた状態では、従来の針金で閉じるものより体裁がよいものになり、係止爪付ボタンと係止孔付ボタンとで構成される留め部に装飾性を持たすことが可能になる。
【００９５】
また、本発明に係る留めボタンによれば、係止爪付ボタンのボタン本体の表面に装飾表示を行うようにしたことにより、口部を係止爪付ボタンと係止孔付ボタンとで挟み、袋状物の口部を閉じた状態では、係止爪付ボタンの表面に装飾表示が存在することになり、より体裁がよいものになる。
【００９６】
また、本発明に係る留めボタンによれば、装飾表示がロゴマーク、キャラクターマーク等であることにより、口部を係止爪付ボタンと係止孔付ボタンとで挟み、袋状物の口部を閉じた状態では、係止爪付ボタンの表面にロゴマーク、キャラクターマーク等が存在することになり、より体裁がよいものになるばかりか、袋状物内の品物が何処の販売店のものであるかが判明できるようになるし、また、販売店の宣伝にも一役買うようになる。
【００９７】
また、本発明に係る留めボタンによれば、係止爪部の先端部に切除用の溝部を設けたことにより、口部を係止爪付ボタンと係止孔付ボタンとで挟み、袋状物の口部を閉じた状態で切除用の溝部を折って係止爪部の先端部を切除することができて、係止爪部の先端部が手に刺さるようなことがなく、安全性の高いものになる。
【００９８】
また、本発明に係るボタン留め工具によれば、一方の把持ハンドルの係止爪付ボタンシート充填機構部に係止爪付ボタンシートを挿入充填し、他方の把持ハンドルの係止孔付ボタンシート充填機構部に係止孔付ボタンシートを挿入充填し、次に、品物を入れた袋状物の口部を、開いている一方の挟み部材と他方の挟み部材とをトーションスプリングのばね作用に抗して閉じて一方及び他方の挟み部材で挟み、一方及び他方の押ボタン機構部を操作させて一方及び他方の押ボタンの押込みにより、一方の押片部材に設けた一方のカッター部材が、一方の挟み部材の係止爪付ボタンセット部にセットされた係止爪付ボタンシートにおける先端の連結部を切断し、また、さらなる押ボタンの押込みにより、他方の押片部材に設けた他方のカッター部材が、他方の挟み部材の係止孔付ボタンセット部にセットされた係止孔付ボタンシートにおける先端の連結部を切断する。
【００９９】
それぞれの連結部の切断後に、係止爪付ボタンの係止爪部が袋状物の口部を貫通して、この係止爪部が係止孔付ボタンの係止孔部に挿入係止され、ノックアウト機構部が係止爪付ボタンに係止された係止孔付ボタンを外部に押し出し、係止爪付ボタンと係止孔付ボタンとにより袋状物の口部を閉ざすことができる。
【０１００】
このように、留め部に装飾性を持たすことが可能になる留めボタンを確実に且つ能率よく袋状物の口部に装着しこの口部を閉じることを可能にするボタン留め工具を提供することができる。
【図面の簡単な説明】
【図１】本発明に係る留めボタンを装着した袋状物の口部の一部省略した平面図である。
【図２】同袋状物の口部の側面図である。
【図３】本発明に係る留めボタンにおける係止爪付ボタンの正面図である。
【図４】係止爪付ボタンシートの側面図である。
【図５】同係止爪付ボタンシートの平面図である。
【図６】本発明に係る留めボタンにおける係止孔付ボタンの正面図である。
【図７】同係止孔付ボタンシートの側面図である。
【図８】本発明に係る留めボタンにおける係止孔付ボタンシートの変形例の平面図である。
【図９】本発明に係る留めボタンにおける係止爪付ボタンに装飾表示を行った場合の平面図である。
【図１０】同係止爪付ボタンの変形例の側面図である。
【図１１】同係止爪付ボタンの正面図である。
【図１２】同係止爪付ボタンの変形例の正面図である。
【図１３】本発明に係るボタン留め工具の側面図である。
【図１４】同ボタン留め工具の平面図である。
【図１５】同ボタン留め工具を開いた状態の側面図である。
【図１６】図１５のＧ方向からの矢視図である。
【図１７】図１５のＨ方向からの矢視図である。
【図１８】同ボタン留め工具の縦断面図である。
【図１９】図１８のＡ部の拡大図である。
【図２０】図１８のＢ−Ｂ線に沿う断面図である。
【図２１】図１８のＣ方向からの矢視図である。
【図２２】図１８のＤ−Ｄ線に沿う断面図である。
【図２３】図１８のＥ−Ｅ線に沿う断面図である。
【図２４】図１８のＦ−Ｆ線に沿う断面図である。
【図２５】ガイドプレートの平面図である。
【図２６】同ガイドプレートの側面図である。
【図２７】他のガイドプレートの平面図である。
【図２８】レバー部材の平面図である。
【図２９】同レバー部材の側面図である。
【図３０】ガイドプレートの平面図である。
【図３１】同ガイドプレートの側面図である。
【図３２】他のガイドプレートの平面図である。
【図３３】本発明に係るボタン留め工具の作動説明図である。
【符号の説明】
２        パッド
３        係止爪付ボタンシート充填機構部
４        係止孔付ボタンシート充填機構部
１１      押片部材（一方の押片部材）
１１Ａ    係止爪付ボタン押圧面部
１３      押ボタン（一方の押ボタン）
１３−１  上刃（一方のカッター部材）
１４      スプリング
２１      押片部材（他方の押片部材）
２１      係止爪付ボタン押圧面部
２３      押ボタン（他方の押ボタン）
２３−１  下刃（他方のカッター部材）
２４Ａ    スプリング
２６      ノックアウト機構
３９      係止爪付ボタンシート収容部
４２      一方のレバー部材保持部
４７      レバー部材（一方のボタンシート押しレバー部材）
５９      係止爪付ボタンシート収容部
６２      一方のレバー部材保持部
６７      レバー部材（他方のボタンシート押しレバー部材）
７０      留めボタン７０
７１      係止爪付ボタン
７２      係止孔付ボタン
７３      ボタン本体
７４      係止爪部
７５      連結部
７６      ボタン本体
７７      係止孔部
７８      連結部
７９      装飾表示
８０      溝部
１００    紙袋（袋状物）
１０１    口部
２００    上側挟み部材（一方の挟み部材）
３００    下側挟み部材（他方の挟み部材）
４００    上側把持ハンドル（一方の把持ハンドル）
５００    下側把持ハンドル（他方の把持ハンドル）
Ｊ１      一方の押ボタン機構部
Ｊ２      他方の押ボタン機構部
Ｓ１      係止爪付ボタンシート
Ｓ２      係止孔付ボタンシート
【図１】
2004217303.tif 000003
【図２】
2004217303.tif 000004
【図３】
2004217303.tif 000005
【図４】
2004217303.tif 000006
【図５】
2004217303.tif 000007
【図６】
2004217303.tif 000008
【図７】
2004217303.tif 000009
【図８】
2004217303.tif 000010
【図９】
2004217303.tif 000011
【図１０】
2004217303.tif 000012
【図１１】
2004217303.tif 000013
【図１２】
2004217303.tif 000014
【図１３】
2004217303.tif 000015
【図１４】
2004217303.tif 000016
【図１５】
2004217303.tif 000017
【図１６】
2004217303.tif 000018
【図１７】
2004217303.tif 000019
【図１８】
2004217303.tif 000020
【図１９】
2004217303.tif 000021
【図２０】
2004217303.tif 000022
【図２１】
2004217303.tif 000023
【図２２】
2004217303.tif 000024
【図２３】
2004217303.tif 000025
【図２４】
2004217303.tif 000026
【図２５】
2004217303.tif 000027
【図２６】
2004217303.tif 000028
【図２７】
2004217303.tif 000029
【図２８】
2004217303.tif 000030
【図２９】
2004217303.tif 000031
【図３０】
2004217303.tif 000032
【図３１】
2004217303.tif 000033
【図３２】
2004217303.tif 000034
【図３３】
2004217303.tif 000035